【事件の表示】
　特許第３３０６０９３号「画像情報記録装置」の請求項１に係る特許に対する特許異議の申立てについて、次のとおり決定する。
【結　論】
　特許第３３０６０９３号の請求項１に係る特許を維持する。
【理　由】
１．本件発明
　本件特許第３３０６０９３号（平成４年５月１３日出願、平成１４年５月１０日設定登録。）の請求項１に係る発明（以下「本件特許発明」という。）は、特許明細書及び図面の記載からみて、その特許請求の範囲の請求項１に記載された次のとおりのものである。
「【請求項１】撮影により生成され乃至は外部より供給された画像情報を、一旦画像メモリ手段にストアした後、所定の情報圧縮処理を施して当該適用された情報記録媒体に、各別の画像情報毎に対応する管理情報領域と当該画像情報を表す画像データの領域とを含んでなる所定の様式に沿った各画像情報ファイルとして格納するようになされた画像情報記録装置であって、当該画像情報を上記画像メモリ手段にストアする動作と上記適用された情報記録媒体の管理情報領域に対するアクセスとを並行して行う手段を有してなることを特徴とする画像情報記録装置。」
　
２．特許異議の申立ての概要
　申立人佐藤光男は、証拠として甲第１号証（特開平２−３０１２６７号公報）及び甲第２号証（特開昭５７−１１９５６９号公報）を提出し、請求項１に係る発明の特許は、その出願前公知の甲第１号証及び甲第２号証に記載された技術内容から当業者が容易に発明をなし得たものであるから、特許法第２９条第２項に該当するので、同法第１１３条の規定により取り消されるべき旨主張している。
　
３．申立人が提出した甲各号証記載の発明
　申立人佐藤光男が提出した甲第１号証（特開平２−３０１２６７号公報）には、電子スチルカメラに関して、下記の事項が、図面とともに記載されている。
（１）「画像を光電変換する撮像素子と、この撮像素子より得られる画像信号をデジタル画像信号に変換するアナログ／デジタル変換器と、このアナログ／デジタル変換器からのデジタル画像信号を記憶するメモリとを有する電子スチルカメラにおいて、前記デジタル画像信号に検索用データや日付情報を付けて前記メモリに記憶させるデータ付加手段を備えたことを特徴とする電子スチルカメラ。」（特許請求の範囲）
（２）「このアナログ画像信号は信号処理部19においてガンマ補正やエッジ強調等の処理が行われた後に輝度信号であるＹ信号と，色差信号であるＲ−Ｙ信号，Ｂ−Ｙ信号とに変換され、Ｙ信号がアナログ／デジタル（Ａ／Ｄ）変換器20によりＡ／Ｄ変換されてメモリ制御部21によりページメモリ22に１画面分展開される。信号処理部19からのＲ−Ｙ信号，Ｂ−Ｙ信号はマルチプレクサ23により切り替えられてＡ／Ｄ変換器24によりＡ／Ｄ変換され、メモリ制御部21によりページメモリ25に１画面分展開される。」（２頁右上欄１０行〜２０行）
（３）「シャッタボタンが押されると、システムコントローラ26はメモリ制御部21にページメモリ22，25への描画を開始させて１画面分のデータをページメモリ22，25に記憶させ、かつページメモリ22，25に記憶させたＹ信号とＲ−Ｙ信号，Ｂ−Ｙ信号を圧縮伸長部27，28によりデータ圧縮させて文字発生器37からの検索用データや時計32からの日付，時刻情報とともに中容量メモリ13に記憶させる。したがって、中容量メモリ13には１画面分づつ撮像装置15により得られた画像信号に日付・時刻情報，検索用データがイメージデータとして付けられて記憶されることになる。この場合データの記憶フォーマットは第５図に示す通りである。ここに、ファイルヘッダ識別子は画像データファイルの先頭を示すものであり、ファイルデータ長は画像ファイルのＢＹＴＥ数を示す。符号化方式属性コードは画像データが圧縮されたものかどうかを示し、かつ圧縮されたものならばその方式を示すものである。検索用データは上記検索用データや日付・時刻情報である。画像データラインヘッダーは画像のラインまたはブロック単位の識別子であり、その直後に画像データが記憶される。ファイルの終りはファイルエンド識別子であり、その画像ファイルの終りを示す。」（３頁左上欄２０行〜左下欄３行）
　同じく、甲第２号証には、静止画像情報を記録媒体に録画するシステムに関して、下記の事項が、図面とともに記載されている。
（１）「この発明は複数の静止画像情報を記録、再生する際に、この複数の静止画を単一の静止画とみなして記録、再生するものである。すなわち、この発明では各静止画像情報に付加して記録する各同期信号のＴ・Ｍ期間，ＡＧＣ確立期間，ビット同期期間を省くようにする。換言すれば、複数の静止画像情報を連続的に画像信号のみを単一の画像として記録，再生するものである。このようにすると、この連続した複数の画像情報内でのアクセスは通常の再生（早送り、巻き戻しによるアクセスは可能）でしかできなくなるが、個々の静止画像に用する記録再生時間は最小の時間であるブロック同期期間と画像情報期間でよく、個々の画像の単一記録再生に比べて早い画像再生が可能となり、記録媒体を有効に使用することができる。」（２頁左上欄２０行〜右上欄１４行）
（２）「第２図はこの発明をカセットテープに静止画像を記録する装置に適用した一実施例を示したものである。また、第３図はタイミング制御部に入出力する信号のタイミング図を示したものである。第２図において操作キー11より連続単一切換え信号ｂを連続モード「Ｈレベル」に設定し、記録開始信号ａを発生すると同期信号発生部12を動作させＴ・Ｍ信号，ＡＧＣ信号確立とビット同期に必要な疑似信号を出力する。タイミング制御部13は記録開始信号ａを受けてカセットデッキ14の動作信号ｃを記録状態“Ｈ”にする。また、同時にシャッター信号ｄを発生しテレビカメラ15から画像信号をＩＣメモリ16に記憶する。」（２頁右上欄１７行〜左下欄９行）
　
４．異議申立てに対する当審の判断
　本件特許発明と申立人が提出した甲各号証に記載の発明を対比すると、当該刊行物のいずれにも、本件特許発明の主要な事項である「画像情報を上記画像メモリ手段にストアする動作と上記適用された情報記録媒体の管理情報領域に対するアクセスとを並行して行う手段」が記載されておらず、また、当該事項を示唆する記載もされていない。
　以下、甲各号証の記載について検討する。
　甲第１号証には、甲第１号証の上記記載事項（１）ないし（３）からみて、撮像素子より得られる画像信号をページメモリに一旦記憶した後、当該ページメモリに記憶された画像信号を圧縮して文字発生器からの検索用データや時計からの日付，時刻情報、即ち管理情報とともに画像データファイルとして中容量メモリに記憶させる電子スチルカメラが記載されている。
　しかし、甲第１号証には、画像信号をページメモリに記憶する動作と中容量メモリの管理情報領域に対するアクセスとを並行して行うこと、即ち本件特許発明の上記主要な事項に対応する事項については記載がなく、また、当該事項を示唆する記載もない。
　同じく、甲第２号証には、甲第２号証の上記記載事項（１）ないし（２）からみて、記録開始信号を発生させると画像情報に付加して記録する各同期信号を出力して記録媒体に記録し、同時に画像信号をＩＣメモリに記憶させるものが記載されている。
　さらに、甲第２号証に記載されている「各同期信号」は、画像情報に付加して記録する同期信号であるから本件特許発明における「管理情報」ではない。　
　そうすると、甲第２号証には、画像信号をＩＣメモリに記憶する動作と記録媒体の管理情報領域に対するアクセスとを並行して行うこと、即ち本件特許発明の上記主要な事項に対応する事項については記載がなく、当該事項を示唆する記載もない。
　上記のように上記甲各号証のいずれも本件特許発明の上記主要な事項に対応する事項は記載されておらず、上記甲各号証に記載の発明を組み合わせても本件特許発明が容易になし得るとはいえない。
　そして、本件特許発明は、上記主要な事項により、明細書に記載された「画像データ書き込みと記録媒体の管理情報領域に対するアクセスとを並行して行っているので、記録処理時間が格段に短縮され、画像記録スピードの高速化が達成される。」という顕著な効果を奏するものと認められる。
　したがって、本件特許発明は、異議申立人佐藤光男が提出した上記甲第１、２号証に記載された発明に基づいて当業者が容易になし得たものとはいえない。
　
５．むすび
　以上のとおりであるから、特許異議申立ての理由及び証拠によっては本件特許発明についての特許を取り消すことができない。
　また、他に本件特許発明についての特許を取り消すべき理由を発見しない。
　よって、結論のとおり決定する。
【異議決定日】
平成１５年３月２０日（２００３．３．２０）